(57)【要約】【課題】  例えば、第１装置の第２装置への装着に有利な補助装置を提供する。【解決手段】  第１の装置の第２の装置への装着を補助する補助装置において、第２の装置により保持され且つ第１の装置と係合する補助部材と、第２の装置に対する補助部材の傾動が可能となるように補助部材を保持する弾性部材と、を配する。【選択図】  図１
2019161570.tif 000002
【特許請求の範囲】
【請求項１】
第１の装置の第２の装置への装着を補助する補助装置であって、
前記第２の装置により保持され且つ前記第１の装置と係合する補助部材と、
前記第２の装置に対する前記補助部材の傾動が可能となるように前記補助部材を保持する弾性部材と、
を備えることを特徴とする補助装置。
【請求項２】
前記補助部材は、前記傾動による前記第２の装置との接触により、前記傾動が制限されるような形状を有することを特徴とする請求項１に記載の補助装置。
【請求項３】
前記補助部材は、円筒部を有し、
前記弾性部材は、前記円筒部の外周に配置されていることを特徴とする請求項１又は２に記載の補助装置。
【請求項４】
前記弾性部材は、コイルばねを含むことを特徴とする請求項１乃至３の何れか１項に記載の補助装置。
【請求項５】
前記補助部材は、前記補助部材の軸と前記第２の装置の軸とが整合するように、前記第２の装置のテーパー面に接触するテーパー面を有することを特徴とする請求項１乃至４の何れか１項に記載の補助装置。
【請求項６】
前記補助部材は、前記補助部材の軸と前記第１の装置の軸とが整合するように、前記第１の装置の部分に嵌合する嵌合部を有することを特徴とする請求項１乃至５の何れか１項に記載の補助装置。
【請求項７】
前記補助部材は、前記補助部材の前記第２の装置の軸のまわりの回転を規制する規制部を有することを特徴とする請求項１乃至６の何れか１項に記載の補助装置。
【請求項８】
前記規制部は、前記第２の装置の凸部に嵌合する凹部又は前記第２の装置の凹部に嵌合する凸部を含むことを特徴とする請求項７に記載の補助装置。
【請求項９】
前記補助部材は、前記第１の装置の位置決めのために前記第１の装置に係合する係合部が形成されていることを特徴とする請求項１乃至８の何れか１項に記載の補助装置。
【請求項１０】
前記第２の装置に保持されていることを特徴とする請求項１乃至９の何れか１項に記載の補助装置。
【請求項１１】
請求項１乃至１０の何れか１項に記載の補助装置と、
前記第２の装置と、
を含み、
前記第２の装置は、前記補助装置を保持し且つ撮像素子を含むカメラ本体を含む、
ことを特徴とする撮像装置。
【請求項１２】
前記第１の装置を含み、
前記第１の装置は、前記撮像素子上に像を形成するレンズ装置を含む、
ことを特徴とする請求項１１に記載の撮像装置。
【発明の詳細な説明】
【技術分野】
【０００１】
本発明は、補助装置および撮像装置に関する。
【背景技術】
【０００２】
カメラ本体とレンズ装置とにおいて、その各々に設けられたマウント接合平面と嵌合部とを互いに接触させ、更に締付けリングにより締結して、これらを接続するマウント接続方式が知られている。このようなマウント接続方式の光学装置においては、マウント接続がスムーズに行われず、取り扱いが困難な場合があることが知られている。
【０００３】
そのため、マウント構造内に係合部の進退構造を設け、手動操作により係合部に当該進退を行わせてマウント接続を容易にする方法も知られている。特許文献１に開示される構成では、ポータブルカメラへの箱型レンズの着脱のために、バヨネットマウント構造において嵌合する筒部材を手動操作により退避させる機構をカメラマウント部に設けている。この機構を配することにより、ハンガーマウントとバヨネットマウントとの同時係合を回避することが可能とされている。
【先行技術文献】
【特許文献】
【０００４】
【特許文献１】特開２００３−３４４９２６号公報
【発明の概要】
【発明が解決しようとする課題】
【０００５】
上述の特許文献１に開示された従来技術では、箱型レンズ装置をポータブルカメラに着脱する際、ユーザーが手動によりバヨネットマウント嵌合部材の退避の操作をしなければならない。このことは、カメラ本体に対するレンズ装置の装着時に、ユーザーに煩わしい作業を強いることになる。
【０００６】
また、筒型レンズ装置も、映像の高画質化のための大判撮像素子に対応して両手で抱えるほどの質量・サイズのものが用いられるようになってきている。このように重く高価なレンズ装置のバヨネットマウントによるカメラへの装着は、小型のレンズ装置のような取り扱いでは、マウント接続が困難となりうる。このため、ユーザーにはレンズ装置の装着に際して慎重な取り扱いが求められる。
【０００７】
本発明は、例えば、レンズ装置に例示される第１装置の、カメラ本体に例示される第２装置への装着に有利な補助装置を提供することを目的とする。
【課題を解決するための手段】
【０００８】
上記目的を達成するために、本発明の一態様に係る補助装置は、第１の装置の第２の装置への装着を補助する補助装置であって、
前記第２の装置により保持され且つ前記第１の装置と係合する補助部材と、
前記第２の装置に対する前記補助部材の傾動が可能となるように前記補助部材を保持する弾性部材と、
を備えることを特徴とする。
【発明の効果】
【０００９】
本発明によれば、例えば、第１装置の第２装置への装着に有利な補助装置を提供することができる。
【図面の簡単な説明】
【００１０】
【図１】本発明の実施例におけるカメラと箱型レンズ装置のバヨネットマウント接合部の装着状態を表した要部断面図である。
【図２】図１に示したカメラと箱型レンズ装置の装着状態を表した全体図である。
【図３】ハンガーマウントのハンガーを使用して、図１に示した箱型レンズ装置をカメラに装着する際のバヨネットマウント接合部を表した要部断面図である。
【図４】図３に示した状態における箱型レンズ装置とカメラの全体図である。
【図５】本発明の実施例におけるカメラと筒型レンズ装置のバヨネットマウント接合部の装着状態を表した要部断面図である。
【図６】図５に示したカメラと筒型レンズ装置の装着状態を表した全体図である。
【図７】図５に示した筒型レンズ装置及びカメラについて、互いに僅かな傾きを持って装着する際のバヨネットマウント接合部を表した要部断面図である。
【図８】図５に示した状態における筒型レンズ装置とカメラの全体図である。
【発明を実施するための形態】
【００１１】
以下、本発明を実施するための例示的な形態について、添付図面を参照して詳細に説明する。ただし、以下の実施例で説明される寸法、材料、形状、及び構成要素の相対的な位置等は任意であり、本発明が適用される装置の構成又は様々な条件に応じて変更できる。また、同一であるか又は機能的に類似している要素を示す場合には、図面間で同じ参照符号を用いる。
【００１２】
以下に述べる実施例において、図１〜図４に関しては、バヨネットマウント接合部を用いて大型の所謂箱型レンズ装置をカメラ本体に接続する場合について示している。また、図５〜８に関しては、バヨネットマウント接合部を用いて比較的軽量の筒型レンズ装置をカメラ本体に接続する場合について示している。より詳細には、図１は本実施例におけるバヨネットマウント接合部を用いたカメラ本体への箱型レンズ装置の装着状態を表した要部断面図であり、図２はこれら構成の全体図を表している。図３はハンガーマウントのハンガーを使用して図１に示した箱型レンズ装置をカメラ本体に装着する際のバヨネットマウント接合部を表した要部断面図であり、図４はこれら構成の全体図を表している。
【００１３】
また、図５は本実施例におけるバヨネットマウント接合部を用いたカメラ本体への筒型レンズ装置の装着状態を表した要部断面図であり、図６はこれら構成の全体図を表している。図７は図５に示した筒型レンズ装置をカメラ本体に対して僅かに傾けて装着する状態を表した要部断面図であり、図８はこれら構成の全体図を表している。
【００１４】
［実施例］
以下、図１から図８を参照して、本発明の実施例によるマウント接続方式の光学装置、特にそのマウント機構について説明する。具体的には、カメラ本体２に対して箱型レンズ装置本体５を取り付けるためにこれらの間に配置するように設けられた、これらとは別体として構成されるマウント部材１について説明する。本実施例に係るマウント部材１は、例えば図１から図４に示すように、マウント接合平面１ａ、マウント嵌合部１ｂ及びマウントピン係合溝１ｃを備える。このマウント部材１はカメラ本体２と接続され、一体化された状態で用いられる。なお、マウント部材１は、カメラ本体２に、バヨネットマウント構造により保持されうる。
【００１５】
マウント部材１は、光軸を中心として配置される、第１の円筒部１ｅ、第２の円筒部１ｆと、これら円筒部を接続する接続部１ｇとからなる。第１の円筒部１ｅは、外周に圧縮コイルばね７が巻かれた態様で、光軸方向及び径方向に移動可能な状態でカメラ本体２に設けられた収容穴２ｂに収容される。圧縮コイルばね７は、カメラ本体２の収容穴２ｂの奥面２ｃと接続部１ｇのカメラ本体側の面との間に位置しており、マウント部材１を箱型レンズ装置本体５の方向に付勢する。第２の円筒部１ｆは、第１の円筒部１ｅよりも大きな外径と、箱型レンズ装置本体５のバヨネットマウント嵌合部５ｅが嵌合可能な内径とを有する。マウント接合平面１ａは第２の円筒部１ｆの箱型レンズ装置本体５側に露出する環状の端面より構成され、マウント嵌合部１ｂは第２の円筒部１ｆの内周面より構成される。マウントピン係合溝１ｃは、箱型レンズ装置本体５のマウントピン５ｆと対応するように、マウント接合平面１ａ上に設けられる。
【００１６】
マウント部材１は、カメラ本体２に埋設された回転規制ピン３，４が挿嵌可能な嵌合穴１ｈを有し、該嵌合穴１ｈに挿嵌されたこれら規制ピンにより光軸を中心とした回転を規制されている。接続部１ｇは、第２の円筒部１ｆの外周面からより小さな径からなる第１の円筒部１ｅの外周面を接続するように、カメラ本体２側に行くに従って外径が小さくなる断面テーパー形状を有する。この外径が変化する外周部分はテーパー状接合面１ｄとして、第２の円筒部１ｆのマウント接合平面１ａに対して光軸方向で対向する側に設けられる。カメラ本体２には、このテーパー状接合面１ｄと断面の傾きを等しくしたテーパー状被接合面２ａが設けられている。
【００１７】
カメラ本体２には、光軸を中心とする開口部６ａを有し、開口部６ａ側に張り出したフランジ部６ｂと内周部にネジ溝が設けられた締付リング６が付随している。開口部６ａには、箱型レンズ装置本体５に設けられたバヨネットマウント５ａが挿入される。その状態で締付リング６がカメラ本体２と螺合することで、フランジ部６ｂがバヨネットマウント５ａの爪部をマウント部材１と挟持し、これにより箱型レンズ装置本体５をカメラ本体２に対して固定する。
【００１８】
ここで、箱型レンズ装置本体５は、その質量やサイズの大きさによりサポーター８を介してカメラ本体２に接続される。具体的には、図２に示されるように、カメラ本体２はサポーター８により支持され、箱型レンズ装置本体５はサポーター８が備えるハンガー部８ｂにより支持された状態で、カメラ本体２に箱型レンズ装置本体５が接続される。サポーター８は、ハンガーマウント接合平面８ａ、前述したハンガー部８ｂ、及びカメラ支持部８ｃを備えている。カメラ支持部８ｃは、カメラ本体２におけるカメラの光軸がサポーター８に対して所定の位置関係を維持するように、該カメラ本体２を支持する。
【００１９】
箱型レンズ装置本体５には、ハンガーマウント接合平面８ａと当接するハンガーマウント被接合平面５ｂと、ハンガー部８ｂと係合する被ハンガー部５ｃとが更に設けられている。箱型レンズ装置本体５は被ハンガー部５ｃを介して、該ハンガー部８ｂにおけるレンズ着脱回転中心を中心として回転可能に支持される。ハンガー部８ｂは、サポーター８を用いて箱型レンズ装置本体５がカメラ本体２に装着されることで、図２に示すように、カメラ本体２のカメラ光軸と箱型レンズ装置本体５のレンズ光軸とが一直線状で並ぶように配置される。なお、この状態において、ハンガーマウント接合平面８ａとハンガーマウント被接合平面５ｂとは当接している。
【００２０】
次に、箱型レンズ装置本体５をカメラ本体２に装着する場合の操作について説明する。その際、カメラ本体２はカメラ支持部８ｃによって所定の姿勢にて支持されており、箱型レンズ装置本体５はハンガー部８ｂにより支持されている。この状態において、ユーザーは、図３及び４に示すように、被ハンガー部５ｃとハンガー部８ｂとの係合部であるレンズ着脱回転中心を中心として箱型レンズ装置本体５を回転させる。より詳細には、カメラ光軸に対してレンズ光軸が角度を有した状態にある箱型レンズ装置本体５を回転させ、これら光軸を同一直線状で整列させる。この操作によってハンガーマウント被接合平面５ｂがハンガーマウント接合平面８ａに当接できる状態となり、箱型レンズ装置本体５がカメラ本体２に装着可能な配置となる。
【００２１】
このような箱型レンズ装置本体５の装着の際の操作において、図３に示すように、箱型レンズ装置本体５は、レンズ光軸がカメラ本体２のカメラ光軸に対し傾いた状態でバヨネットマウント５ａが開口部６ａに挿入される。従来の構成であれば、マウント嵌合部１ｂに対応する構成の位置は固定されている。よって、バヨネットマウント５ａの外径と当該構成の内径との設計上の寸法差より挿入時のバヨネットマウント５ａの位置が少しでもずれた場合には、バヨネットマウント嵌合部５ｅがマウント嵌合部１ｂにスムーズに挿入されない。この場合、例えば課題として述べたように、バヨネットマウント嵌合部５ｅとマウント接合平面１ａと接触する等の事象が生じる。
【００２２】
これに対し、本実施例では、圧縮コイルばね７によって付勢されているマウント部材１は、光軸方向及び光軸に垂直な面内において、収容穴２ｂの範囲内において移動可能とされている。従って、傾きを持った状態であっても、マウント嵌合部１ｂはバヨネットマウント嵌合部５ｅに対応して位置を移動させ、その結果バヨネットマウント嵌合部５ｅは容易にマウント嵌合部１ｂに挿入され、嵌合する。また、挿入されることにより、バヨネットマウント接合平面５ｄも、マウント接合平面１ａと接合する。同時に、バヨネットマウント５ａに設けられたマウントピン５ｆもマウントピン係合溝１ｃと係合し、これによりバヨネットマウント５ａとマウント部材１は互いに位置決めされた状態で一体化する。
【００２３】
この状態から、更に箱型レンズ装置本体５をレンズ着脱回転中心周りに回転させることで、これら一体化した構成はその状態で姿勢を変化させる。そして、更にバヨネットマウント５ａ及びマウント部材１が収容穴２ｂに押し込まれることにより、テーパー状接合面１ｄがテーパー状被接合面２ａと当接し、これに導かれて箱型レンズ装置本体５のレンズ光軸はカメラ本体２のカメラ光軸に調心される。ただし、この状態ではマウント部材１とカメラ本体２とは回転規制ピン３，４によって光軸周りの回転が規制されているだけであり、光軸方向の移動は規制されていない。この状態で、締付リング６をカメラ本体２に螺合させることにより、マウント部材１は箱型レンズ装置本体５、より厳密にはバヨネットマウント５ａと共にカメラ本体２に対して固定される。この螺合による締め付け操作の結果、ハンガーマウント接合平面８ａに対してハンガーマウント被接合平面５ｂが当接する。
【００２４】
上述したように、本実施例では、箱型レンズ装置本体５が直接取り付けられる対象を、カメラ本体２ではなくカメラ本体２に装着されたマウント部材１としている。また、このマウント部材１は、光軸方向及び該光軸に対して垂直な平面内に移動可能となるように、弾性部材である圧縮コイルばね７を介してカメラ本体２に取り付けられている。この構成により、マウント部材１は、カメラ本体２の光軸に対して傾くことが可能となる。従って、箱型レンズ装置本体５のバヨネットマウント５ａがカメラ本体２の光軸に傾いて、更には光軸からずれて装着されようとしても、該バヨネットマウント５ａの姿勢に追随して姿勢を変えてこれが装着されることができる。よって、特許文献１に開示された構成のようにユーザーの煩雑な手動切替え操作を伴わずとも、レンズ装置等の光学装置への取り付けが容易に行える。
【００２５】
次に、図５から図８を参照して、上述したマウント部材１を備えたカメラ本体２に対して、サポーター８を用いずに装着等される所謂筒型レンズ装置本体９を装着する態様について説明する。なお、マウント部材１、カメラ本体２、及び締付リング６に関しては上述した構成と同様であるため、図において同一の参照符号を用いることによりここでの説明を割愛する。なお、筒型レンズ装置本体９は、バヨネットマウントとして、上述した箱型レンズ装置本体５と略同様の構造を備える。従って、筒型レンズ装置本体９をカメラ本体２に装着する際に、サポーター８を用いないこと以外については、各構成において同様の作用等が呈される。
【００２６】
カメラ本体２に支持されているマウント部材１のマウント嵌合部１ｂに対し、筒型レンズ装置本体９に設けられたバヨネットマウント９ａのバヨネットマウント嵌合部９ｃが挿入される。その際、着脱時に他の構造体に支持されない筒型レンズ装置本体９はユーザーが手で支えることにより、該筒型レンズ装置本体９のレンズ光軸がカメラ本体２のカメラ光軸に対して僅かに傾いた状態で、装着の操作が行われる。具体的には、人手によるため傾きの方向や大きさは一定ではないが、レンズ光軸がカメラ光軸に対して傾いた状態で、バヨネットマウント嵌合部９ｃがマウント嵌合部１ｂに挿入される。
【００２７】
ここで、先にも述べたように、マウント部材１は、圧縮コイルばね７により、光軸方向及び光軸に垂直な面内において、収容穴２ｂの範囲内で移動可能に支持されている。従って、バヨネットマウント嵌合部９ｃが傾きを持ってマウント嵌合部１ｂ挿入された場合であっても、マウント部材１はバヨネットマウント９ａの姿勢に対応してその姿勢を変化させ、スムーズな挿入を可能とする。その結果、バヨネットマウント嵌合部９ｃはスムーズにマウント嵌合部１ｂと嵌合し、同時にバヨネットマウント接合平面９ｂもマウント接合平面１ａとスムーズに接合することができる。また、同時に、バヨネットマウント９ａに設けられたマウントピン９ｄも、マウントピン係合溝１ｃと係合する。なお、この状態では、バヨネットマウント９ａと略一体化したマウント部材１は、回転規制ピン３，４によりカメラ本体２に対して光軸周りの動きは規制されているが、光軸方向の動きは圧縮コイルばね７により規制されるだけであり事実上規制されていない。
【００２８】
この状態において、バヨネットマウント９ａとマウント部材１は一体化しつつ更にカメラ本体２側に押し込まれる。この操作によって、マウント部材１のテーパー状接合面１ｄがテーパー状被接合面２ａに導かれてマウント部材１が光軸に垂直な面内でシフトし、筒型レンズ装置本体９のレンズ光軸がカメラ本体２のカメラ光軸に対して調心される。調心後に締付リング６を締付けることにより、テーパー状接合面１ｄとテーパー状被接合面２ａとが接合される、同時にマウント接合平面１ａとバヨネットマウント接合平面９ｂとも接合される。また、回転規制ピン３及び４により光軸周りの回転が規制されたマウント部材１のマウントピン係合溝１ｃとマウントピン９ｄとの係合により、カメラ本体２と筒型レンズ装置本体９との光軸周りの位相もあわせられる。
【００２９】
以上に述べたように、本発明によれば、箱型レンズ装置本体５の態様によらず、そのバヨネットマウントがカメラ本体２の光軸に傾く等の状態で装着されようとしても、該バヨネットマウントの姿勢に追随しマウント部材１がその姿勢を変えることができる。よって、特許文献１に開示された構成のようにユーザーの煩雑な手動切替え操作を伴わずとも、レンズ装置等の光学装置への取り付けが容易に行える。
【００３０】
なお、本実施例では弾性を有する圧縮コイルばね７を介してカメラ本体２によりマウント部材１を支持することとし、これによりマウント部材１のカメラ本体２の光軸に対する姿勢の変化を可能としている。しかし、マウント部材１を支持する弾性部材は圧縮コイルばね７の形態に限られず、マウント部材１をカメラ本体２の光軸方向及び該光軸に垂直な平面内の移動ができれば、ゴム等の弾性部材、複数のばね部材等、種々の弾性部材を用いることができる。なお、単純に弾性部材のみを介してカメラ本体２によりマウント部材１を支持した場合、姿勢変化が大き過ぎてカメラ本体２にレンズ装置本体を正しく装着できない場合も起こり得る。本実施例では、マウント部材１の第１の円筒部１ｅがカメラ本体２に設けられた収容穴２ｂに嵌り込み、圧縮コイルばね７はこの収容穴２ｂ内の範囲で第１の円筒部１ｅが移動可能となるようにマウント部材１を支持している。これにより、マウント部材１とカメラ本体２との光軸及び光軸に垂直な面内での位置関係の変化は、常に所定の範囲内に維持される。よって、レンズ装置本体の光軸の、カメラ本体２の光軸へのある程度の範囲の傾きやズレがあった場合であっても、マウント部材１がこれを吸収し、カメラ本体に対してレンズ装置本体を容易に取り付けられる。
【００３１】
上述したように、本実施形態の光学装置は、本体側マウント接合平面（マウント接合平面１ａ）及び本体側嵌合部（マウント嵌合部１ｂ）を用いたマウント接続により第２の光学装置（レンズ装置本体５，９）が着脱可能に装着される。この光学装置は、光学装置本体（カメラ本体２）と、マウント部材１と、弾性部材（圧縮コイルばね７）とを備える。マウント部材１は、マウント接合平面１ａ及びマウント嵌合部１ｂを備える。マウント接合平面１ａには、レンズ装置本体５，９のマウント接合平面（バヨネットマウント接合平面５ｄ，９ｂ）が当接する。本体側嵌合部として機能するマウント嵌合部１ｂの略円筒形状の穴部には、レンズ装置本体５，９よりカメラ本体２側（光学装置側）に突き出す嵌合部（バヨネットマウント嵌合部５ｅ，９ｃ）が嵌め込まれる。圧縮コイルばね７は、カメラ本体２により支持され、カメラ本体２の光軸方向、及び該光軸方向に垂直な平面に移動可能となるように、マウント部材１を支持する。
【００３２】
このように弾性部材を配してマウント部材１がカメラ本体２の光軸に対して傾き可能とすることで、レンズ装置本体５，９をカメラ本体２に装着する際にマウント部材１がレンズ装置本体の光軸に追随して傾くことができ、装着が容易となる。また、装着時に、例えばバヨネットマウント嵌合部５ｅ，９ｃがマウント接合平面１ａと接触等する、或いは接触時の衝撃を弾性部材が吸収する等の効果も得られる。これにより、更に規格化された多様なバヨネットマウントを有する光学装置のマウント接合平面の損傷を回避することも見込まれる。よって、安価で汎用性のあるマウント接続式の光学装置を提供することも可能となる。
【００３３】
なお、上述した実施例では、マウント部材１はカメラ本体２に付随する光学装置の一部として、圧縮コイルばね７を介してカメラ本体２より支持されることとしている。しかし、このマウント部材１は、圧縮コイルばね７等の弾性部材を介して、レンズ装置本体５，９より支持される態様としても上述した実施例と同様の効果が期待できる。この場合、レンズ装置とカメラ本体とからなる光学システムを構成において、この弾性部材は、カメラの本体又はレンズ装置の本体の何れか一方の光軸方向、及び該光軸方向に垂直な平面に移動可能となるように、何れか一方よりマウント部材１を支持すればよい。
【００３４】
また、上述した光学装置におけるカメラ本体２では、圧縮コイルばね７に支持されたマウント部材１の光軸方向に垂直な平面内の移動範囲は制限手段（カメラ本体２の収容穴２ｂ）により制限される。より詳細には、マウント部材１はカメラ本体２の側に配置される第１の円筒部１ｅを有し、先の制限手段はこの第１の円筒部１ｅを収容する収容穴２ｂとなる。この第１の円筒部１ｅの移動範囲は、この収容穴２ｂの内径により制限される。また、上述した実施例において、圧縮コイルばね７は収容穴２ｂの内周と第１の円筒部１ｅの外周との間に配置される。圧縮コイルばね７は、より詳細には第１の円筒部１ｅの周りに巻き回されるばね形状を有する。以上の構成により、マウント部材１が不必要な範囲で動くことが抑制でき、レンズ装置本体のカメラ本体に対する装着が容易となる。また、弾性部材を上述した圧縮コイルばね７の形状とすることにより、マウント部材１を配置するスペースを小さくする効果も得られる。
【００３５】
また、レンズ装置本体より圧縮コイルばね７に付勢してマウント部材１をカメラ本体２に近づける際に、マウント部材１の光軸とカメラ本体２の光軸とを一致させる調心手段を更に備えることが望ましい。本実施例では、調心手段として、テーパー状接合面１ｄ及びテーパー状被接合面２ａが設けられている。より具体的には、本実施例において、テーパー状接合面１ｄは、カメラ本体２の側に位置するに従ってマウント部材１の光軸からの距離が短くなるようにマウント部材側テーパー面としてマウント部材１に設けられる。また、本実施例において、テーパー状被接合面２ａは、マウント部材テーパー面に対応するように、マウント部材１から離れる側に位置する従ってカメラ本体２の光軸からの距離が短くなるように本体側テーパー面としてカメラ本体２に設けられる。これら構成からなる調心手段を配することにより、レンズ装置本体をカメラ本体２に押し込むに従って各々の光軸が整列されることとなり、これらを正しい位置関係で装着することが容易となる。
【００３６】
なお、上述した実施例では、マウント部材テーパー面は円錐外周面の一部を構成する曲面からなり、本体側テーパー面は円錐内周面の一部を構成する曲面からなることとしている。しかし、調心手段の構成はこの態様に限定されない。例えば、レンズ装置本体をカメラ本体２に押し込むに従って各々の光軸が整列されるようにマウント部材１の光軸に垂直な平面内で該マウント部材１の位置をシフトさせる機能を備えればよい。従って、部分的に傾斜した平面をマウント部材１の外面とカメラ本体２の収容穴２ｂ近傍とに設ける等、公知の種々の態様を適用できる。 即ち、以上で述べたテーパー状接合面が有する光軸調心機能は、接合平面と嵌合部の組合せなど機構の複雑化を招かない範囲で自由に設定可能である。
【００３７】
また、上述した光学装置は、マウント部材１のカメラ本体２の光軸周りの回転を規制する回転規制手段（回転規制ピン３，４、及び嵌合穴１ｈ）を更に備えるとよい。具体的に、回転規制手段は、マウント部材１及びカメラ本体２の何れか一方に設けられたカメラ本体の光軸方向に突出する凸部と、他方に設けられた凸部が挿入される凹部又は穴部とからなる。このような回転規制手段を設けることにより、カメラ本体２の光軸周りのマウント部材１の回転が規制される。即ち、回転規制手段は、マウント接続式のカメラ本体２に設けられた回転規制突起或いは溝等、マウント部材１の回転規制機能を有する部材であれば全て適用可能である。本実施例では、当該構成に加え、マウント部材１に対するレンズ装置本体のマウント部材１の光軸周りの位置決めをする光軸周り位置決め手段（マウントピン５ｆ、及びマウントピン係合溝１ｃ）を更に備える。これにより、レンズ装置、マウント部材１、及びカメラ本体の光軸周りの位置関係を常に一定とし、これら一定の位置関係で容易に接続することが可能となる。
【００３８】
以上に述べたように、本発明によれば、箱型レンズ装置本体５の着脱においてはユーザーの煩雑な手動切替え操作を伴わず、安価で汎用性のあるマウント接続式の光学装置を提供できる。また、更に多様なバヨネットマウントを有する光学装置同士の接合に際しても、各々に配されるマウント接合平面の損傷を回避することができるといった効果も副次的に得られる。
【００３９】
以上、実施例を参照して本発明について説明したが、本発明は上述した実施例に限定されるものではない。本発明の趣旨に反しない範囲で変更された発明、及び本発明と均等な発明も本発明に含まれる。また、上述の各実施例及び変形例は、本発明の趣旨に反しない範囲で適宜組み合わせることができる。
【００４０】
以上、本発明について好ましい実施例を例示して説明したが、本発明の使用態様は上述した実施例に限られない。即ち、カメラ等の光学装置に対して、レンズ装置等の第２の光学装置を光軸周りで回転させることなく、締付リングにより締結し、固定する種々のマウント接続式光学装置に対し、本発明は適用できる。即ち、締付リング等により締結接続される多様なバヨネットマウントを有するカメラ、レンズ、光学アクセサリー等のマウント部の損傷を回避する手段として本発明は適用できる。また、光学装置及び第２の光学装置は各々カメラ及びレンズ装置に限られず、種々の光学装置をこれらに適用することができる。
【００４１】
更に、本発明の使用態様は、上述した光学装置にも限定されない。例えば第１の装置に配される所定の軸と第２の装置に配される所定の軸とを調心し、第１の装置を第２の装置に装着するような形態においても適用できる。この場合、上述したマウント部材１は、この装着を補助する補助装置として定義できる。従って、上述した実施例は、その一態様として、第１の装置（レンズ装置５，９）の第２の装置（カメラ本体２）への装着を補助する補助装置（マウント部材１及び弾性部材（７））を構成する。この補助装置（１）は、第２の装置（２）により保持され且つ第１の装置（５，９）と係合する補助部材（１）と、第２の装置（２）に対する補助部材（１）の傾動が可能となるように補助部材（１）を保持する弾性部材（７）と、を備える。
【００４２】
なお、上述した使用態様においては、補助部材（１）は、第２の装置（５，９）との接触時において、傾動が大きすぎるとその作用を呈することが容易ではなくなる。そのため、上述した実施例では傾動が所望の大きさ以下となるようにカメラ本体２の収容穴２ｂの大きさを設けている。しかし、傾動が大きすぎた場合に傾動の制限ができれば、その制限様式はこの態様に限られない。即ち、収容穴２ｂの形状等に対応して、補助部材（１）が第２の装置（５，９）との接触時においてにより、傾動が制限されるような形状を有していればよい。また、上述したように、補助部材（１）は円筒部（第１の円筒部１ｅ）を有しているが、これに対応して、弾性部材（７）はこの円筒部の外周に配置されていることが望ましい。更に、この弾性部材（７）は、円筒部を巻き回されるコイルばねとすることにより、円筒部の外径に対する上述した収容穴２ｂの内径を小さくできる。
【００４３】
また、上述したように、補助部材（１）には、第１の装置（５，９）の軸と、補助部材（１）の軸と、第２の装置（２）の軸とが整合する必要がある。従って、補助部材（１）は、調心性を得るために、第２の装置に設けられる調心用のテーパー面（２ａ）に接触して調心作用を呈するテーパー面（１ｄ）を配するとよい。更に、上述したように、補助部材（１）の軸と第１の装置（５，９）の軸とが整合することも要する。このため、補助部材（１）は、この調心のために、第１の装置（５，９）の調心用の部分に嵌合する嵌合部（１ｂ）を有するとよい。
【００４４】
更に、補助部材（１）は、該補助部材（１）の第２の装置（２）の軸の回りの回転を規制する規制部（１ｈ）が形成されているとよい。なお、その際の規制部（１ｈ）は、第２の装置（２）の凸部に嵌合する凹部又は該第２の装置（２）の凹部に嵌合する凸部より構成されるとよい。これにより、補助部材（１）の第２の装置（２）の軸周りの位置決めがなされる。また、その際、補助部材（１）は、第１の装置（５，９）に対しても位置決めされることを要する。従って、補助部材（１）には、位置決めのために第１の装置（５，９）の被係合部に係合する係合部（１ｃ）が形成されているとよい。なお、上述した実施例では、補助装置（１，７）は第２の装置（２）とは独立した構成として述べているが、第２装置（２）に取り付けられてこれに保持される構成としてもよい。
【００４５】
また、本発明は、補助装置（１）と、第２装置（２）とを備えた装置もその一態様としている。従って、第２の装置が撮像素子を含むカメラ本体を含む場合、本発明は撮像装置を構成する。この場合、該撮像装置は、撮像素子上に像を形成するレンズ装置を含む第１装置（５，９）を備えてもよく、この場合本発明はレンズ装置も含んだ撮像装置を構成する。
【符号の説明】
【００４６】
１  ：マウント部材
１ａ：マウント接合平面
１ｂ：マウント嵌合部
１ｃ：マウントピン係合溝
１ｄ：テーパー状接合面
２  ：カメラ本体
２ａ：テーパー状接合面
３  ：回転規制ピン
４  ：回転規制ピン
５  ：箱型レンズ装置本体
５ａ：バヨネットマウント
５ｂ：ハンガーマウント接合平面
６  ：締付リング
６ａ：開口部
７  ：圧縮コイルばね
８  ：サポーター
【図１】
2019161570.tif 000003
【図２】
2019161570.tif 000004
【図３】
2019161570.tif 000005
【図４】
2019161570.tif 000006
【図５】
2019161570.tif 000007
【図６】
2019161570.tif 000008
【図７】
2019161570.tif 000009
【図８】
2019161570.tif 000010